(57)【要約】【課題】  本発明が解決しようとする課題は、砲弾型発光ダイオードの約３割程度の放射光はレンズ部分を通過せず側方から斜め前方にかけ拡散放出しているので、如何にしてそれら拡散放出光を無駄無く前方にのみ放射させるかという問題点がある。【解決手段】本発明は、砲弾型発光ダイオード本体内部の表面反射や頭頂部のレンズ部分以外に拡散照射される放射光を円筒形反射鏡及び，反射材付きの底蓋を有するレンズキャップを取り付けることで、放射光を前方にのみ放射させることを特徴とする。【選択図】図２
2006351816.tif 000002
【特許請求の範囲】
【請求項１】
エポキシやアクリル・シリコン等の透過性樹脂や光学素材を使用した円筒形カバー状のレンズキャップの頭頂部にレンズを配置し砲弾型発光ダイオードに装着することでレンズの焦点位置や焦点距離をとることも無く、誰でも安易に砲弾型発光ダイオードの放射光を集光放射することを可能としたことを特徴とする発光ダイオードレンズキャップ。
【請求項２】
請求項１のレンズキャップの底部にツメを設置することにより砲弾型発光ダイオードの逸脱を防止ししながらも、脱着を安易にしたことを特徴とする砲弾型発光ダイオードレンズキャップ。
【請求項３】
請求項１のレンズキャップ内に円筒形の反射鏡を設置し砲弾型発光ダイオードの側方から斜め前方への拡散光を前方へ反射させることを特徴とする砲弾型発光ダイオードレンズキャップ。
【請求項４】
請求項１のレンズキャップの外側に円筒形の反射鏡を装着することで砲弾型発光ダイオードの側方から斜め前方への拡散光を前方へ反射させ、レンズキャップのピンを固定し砲弾型発光ダイオードからの逸脱を防止したことを特徴とする砲弾型発光ダイオードレンズキャップ。
【請求項５】
上記のレンズキャップの底部に反射鏡もしくは反射材を取り付けた円形の底蓋を取付け可能なことを特徴とする砲弾型発光ダイオードレンズキャップ。
【発明の詳細な説明】
【技術分野】
【０００１】
本発明は、砲弾型発光ダイオードレンズキャップに関する。
【背景技術】
【０００２】
現在、使用されている砲弾型発光ダイオードに取り付けるキャップ類は、砲弾型発光ダイオードの光を拡散させる為の拡散キャップが販売されている。
【発明の開示】
【発明が解決しようとする課題】
【０００３】
本発明が解決しようとする課題は、発光ダイオードは急激に進歩し高輝度発光する物が大半を占めるようになってきている。砲弾型発光ダイオードの発光部のリードマウント部から放射される放射光の大半はエポキシやアクリル等で作られた本体頭頂部のレンズ部分から集光・放出されるが、約３割程度の放射光はレンズ部分を通過せず側方から斜め前方にかけ拡散放出している。また、現状として、安易に発光ダイオードに取り付けが可能なレンズは製造されていない。そこで、安価で手軽に脱着が行える砲弾型発光ダイオードレンズキャップを提供することである。
【課題を解決するための手段】
【０００４】
本発明の砲弾型発光ダイオードレンズキャップは砲弾型発光ダイオードに装着することでレンズの焦点位置合わせや焦点距離をとることも無く、誰でも安易に砲弾型発光ダイオードの放射光を集光放射することを可能としたことを特徴とする。
【０００５】
本発明の砲弾型発光ダイオードレンズキャップの底部にツメを設置することにより砲弾型発光ダイオードの逸脱を防止ししながらも、脱着を安易にしたことを特徴とする。
【０００６】
本発明の砲弾型発光ダイオードレンズキャップ内に円筒形の反射鏡を設置し砲弾型発光ダイオードの側方から斜め前方への拡散光を前方へ反射させることを特徴とする。
【０００７】
本発明の砲弾型発光ダイオードレンズキャップの外側に円筒形の反射鏡を装着することで砲弾型発光ダイオードの側方から斜め前方への拡散光を前方へ反射させ、レンズキャップのピンを固定し砲弾型発光ダイオードからの逸脱を防止したことを特徴とする。
【０００８】
本発明の砲弾型発光ダイオードレンズキャップは前記のレンズキャップの底部に反射鏡もしくは反射材を取り付けた円形の底蓋を取付け可能なことを特徴とする。
【発明の効果】
【０００９】
本発明の砲弾型発光ダイオードレンズキャップは砲弾型発光ダイオードに装着することでレンズの焦点位置や焦点距離をとることも無く安易に砲弾型発光ダイオードの放射光を集光放射することを可能とし、円筒形の反射鏡を設置し砲弾型発光ダイオードの側方への拡散光を前方へ反射させることを特徴としているので、砲弾型発光ダイオードの側方から斜め前方への拡散光を前方へ反射させることによる放射光量のアップと難しいレンズの焦点位置合わせや焦点距離をとることも無く誰でも安易に砲弾型発光ダイオードの放射光を集光放射することを可能とした
【発明を実施するための最良の形態】
【００１０】
エポキシやアクリル等で作られた砲弾型発光ダイオードの外形とほぼ一致した形状の透明な円筒形カバー状のレンズキャップを製作し、その頂上部に砲弾型発光ダイオードの放射光の光軸上にレンズの中心点が来るようにレンズを設置する。
【００１１】
また、上記の透明な円筒形カバー状のレンズキャップの底部にはツメの付いたストッパーが２本から４本程度造作してあり、砲弾型発光ダイオードの脱落を防止する構造となっている。
【００１２】
上記の透明な円筒形カバー状のレンズキャップの内側に円筒形の反射鏡を設置することにより、砲弾型発光ダイオードの側方から斜め前方への拡散光を前方へ反射させる。また、レンズキャップの底部に反射鏡もしくは反射材を取り付けた円形の底蓋を取り付けるとエポキシやアクリル等の表面反射や内面反射による後方への反射光を前方に照射できる構造となる。そして、円筒形の反射鏡をレンズキャップの外側に設置することにより、ストッパーを固定し砲弾型発光ダイオードからの逸脱を防止する構造になる。
【実施例】
【００１３】
以下、本発明について図面を用いて説明する。
図１はエポキシやアクリル・シリコン等の透過性樹脂や光学素材を使用した砲弾型発光ダイオード１１の形状に近い円筒形カバー状のレンズキャップ本体１の頭頂部にレンズ２を配置し底部に複数個の切り込み４の先端部にツメ１０を設置したストッパーを配置し、砲弾型発光ダイオード１１の脱着を安易にししながらも、逸脱を防止する構造になっている。
また、砲弾型発光ダイオード１１の側方密着面には円筒状反射鏡（反射材）３が配置してあり
【００１４】
図２は図１とほぼ同じ構造であるが、円筒状反射鏡（反射材）３を本体１の外側にはめ込んであり、切り込み４が開かない構造になっている。砲弾型発光ダイオード１１はツメ１０があるので外れない構造になっている。
【００１５】
図３は砲弾型発光ダイオード１１の放射光７の反射・集光状態を説明する縦断面説明図であり、ステムポール６から放射された放射光７砲弾型発光ダイオードは円筒状反射鏡（反射材）３により反射し、放射光７はレンズ２部分を通過する。
【００１６】
図４は本発明の分解図である
【図面の簡単な説明】
【００１７】
【図１】本発明の請求光１、請求項２、請求項３.を説明する図であり、本体１に砲弾型発光ダイオードを装着した側面図である。
【図２】本発明の請求光４に砲弾型発光ダイオードを装着した側面図である。
【図３】本発明を装着した砲弾型発光ダイオードの放射光の反射・集光状態を説明する縦断面説明図である。
【図４】本発明の分解図である。
【符号の説明】
【００１８】
１  本体
２  レンズ
３  円筒状反射鏡（反射材）
４  切り込み
５  リードマウント
６  ステムポール
７  放射光
８  底蓋
９  穴
１０ツメ
１１砲弾型発光ダイオード
【図１】
2006351816.tif 000003
【図２】
2006351816.tif 000004
【図３】
2006351816.tif 000005
【図４】
2006351816.tif 000006